(57)【要約】  本発明は、熱可塑性プラスチック材料、特にＰＥＴ製のボトルのような容器を、ブロー成形又はストレッチブロー成形によって容器を製造するために使用される少なくとも１つのブランク（１）を加熱する方法及び装置に関する。本発明によれば、ブランク（１）は、互いに対して所定距離で位置づけられた２つの対向する壁（３、６）間に配置される。前記壁（３）の１つはブランク（１）の本体（８）とは反対側に互いに対して１つ置きに上に位置する幾つかの放射源（５）を支持する。２つの壁（３、６）間の空間はブランクのべース（１２）を越え且つ該ベース（１２）に近接して少なくとも部分的に閉じている。ブランクのベースを越えて放たれる放射の少なくとも一部はブランクの本体（８）の方向に反射される。このように、失われた放射による損失は制限される。
2008516815.tif 000002
【特許請求の範囲】
【請求項１】
熱可塑性プラスチック、特にＰＥＴ製のボトルのような容器を、ブロー成形又はストレッチブロー成形によって製造するための少なくとも１つのプリフォーム（１）の加熱方法であって、
前記プリフォーム（１）は互いに対して所定距離だけ離れて対向する２つの側方壁（３、６）間に配置され、該側方壁の１つ（３）は、前記プリフォーム（１）の前記本体（８）に面するように互いに対して１つ置きに上になるように配置された幾つかの放射源（５）を支持する方法において、
前記２つの側方壁（３、６）間の間隙は、前記プリフォームの閉じた端部（１２）を越え且つ前記閉じた端部の近くにで、少なくとも部分的に閉じられ、しかも、前記プリフォームの前記閉じた端部を越えて放たれた前記放射の少なくとも幾分かは前記プリフォームの前記本体（８）に向けて（１４で）反射され、
これにより、失われた放射による損失が制限されることを特徴とする加熱方法。
【請求項２】
前記プリフォーム（１）は、自身の首部（１１）を下げ且つ自身の閉じた端部（１２）を上げた状態で配置され、このため対流による損失が制限されることを特徴とする、請求項１に記載の方法。
【請求項３】
前記２つの側方壁（３、６）間の間隙の約３／４は（１３で）閉じていることを特徴とする、請求項１または請求項２に記載の方法。
【請求項４】
前記プリフォーム（１）は前記２つの側方壁（３、６）間で搬送手段によってこれらの側方壁に平行に移動されるものにおいて、
前記２つの側方壁（３、６）間の間隙の約３／４は、移動された前記プリフォーム（１）が予め定められた加熱プロファイルを受けるような所定の選択された部分でのみ閉じていることを特徴とする、請求項１から請求項３までのいずれか１項に記載の方法。
【請求項５】
熱可塑性プラスチック、特にＰＥＴ製のボトルのような容器を、ブロー成形又はストレッチブロー成形によって製造するための少なくとも１つのプリフォーム（１）の加熱装置であって、
前記加熱装置は互いに対して所定距離だけ離れて対向し、これらの間にプリフォーム（１）が配置される２つの側壁（３、６）を備え、
前記側方壁の１つ（３）は、前記プリフォームの前記本体（８）に面するように互いに対して１つ置きに上になるように配置された幾つかの放射源（５）を支持する、請求項１から請求項３までのいずれか１項に記載の方法を実施するための加熱装置において、
少なくとも１つの横方向プレート（１３）は、前記プリフォームの閉じた端部（１２）を越え且つ前記閉じた端部の近くに配置され、
前記プレートは前記２つの側方壁（３、６）間で少なくとも部分的に延在し、
前記プリフォーム（１）の前記閉じた端部（１２）に面して位置する前記横方向プレート（１３）の面（１４）は前記放射源（５）によって放たれた前記放射を反射し、
これにより、失われた放射による損失が制限されるように、前記プリフォームの前記閉じた端部を越えて放たれた前記放射の少なくとも幾分かは該プリフォームの前記本体に向けて反射されることを特徴とする加熱装置。
【請求項６】
前記プリフォームは、自身の首部（１１）を下げ且つ自身の閉じた端部（１２）を上げた状態で配置され、この結果、対流による損失が制限されることを特徴とする、請求項５に記載の加熱装置。
【請求項７】
前記横方向プレート（１３）は着脱自在に取り付けられることを特徴とする、請求項５または請求項６に記載の加熱装置。
【請求項８】
前記横方向プレート（１３）は、自身のそれぞれの支持部材（１７、１８）内に各放射源（５）を固定するための固定手段に等価な固定手段（１５）によって位置づけられ、その結果、前記横方向プレートが放射源の代わりに支持部内に適合し得ることを特徴とする、請求項７に記載の加熱装置。
【請求項９】
前記放射源（５）は略管形状をしており、しかも前記横方向プレート（１３）は細長形状をしており、且つ前記放射源（５）と同じ長さを有する、請求項８に記載の加熱装置。
【請求項１０】
前記横方向プレート（１３）を固定する前記手段（１５）は、前記放射源（５）用の前記コンタクトソケット（１６）と同一の構造をした長手方向に突出する指部（２２）であり、且つ前記放射源の前記コンタクトソケットを支持するための部材（１７、１８）に係合するのに適したものであることを特徴とする、請求項８または請求項９に記載の加熱装置。
【請求項１１】
前記横方向プレート（１３）は、前記２つの側方壁（３、６）間の空間の約３／４に対応する幅を有することを特徴とする、請求項５から請求項１０までのいずれか１項に記載の加熱装置。
【請求項１２】
前記加熱装置が細長くなされ、且つ前記プリフォームを、前記２つの壁間でこれらの壁に平行に移動させるための手段を含むものにおいて、
２つの壁間で移動された前記プリフォーム（１）が予め定められた加熱プロファイルを受けるように、横方向プレート（１３）が、前記２つの壁間の所定の選択された位置に配置されることを特徴とする、請求項５から請求項１１までのいずれか１項に記載の加熱装置。
【請求項１３】
前記プリフォーム（１）の前記閉じた端部（１２）に面する前記横方向プレート（１３）の面（１４）が、前記放射の波長を反射する、セラミック層で被覆されていることを特徴とする、請求項５から請求項１２までのいずれか１項に記載の加熱装置。
【請求項１４】
前記横方向プレート（１３）はアルミニウム製であることを特徴とする、請求項５から請求項１３までのいずれか１項に記載の加熱装置。
【発明の詳細な説明】
【技術分野】
【０００１】
本発明は、ブロー成形又はストレッチブロー成形によって、加熱されたプリフォームから、熱可塑性プラスチックで作られたボトルのような容器を製造する分野に一般に関し、より詳細には、熱可塑性プラスチック特にＰＥＴ製のボトルのような容器を、ブロー成形又はストレッチブロー成形によって製造するために構成された少なくとも１つのプリフォームを加熱する分野でなされた改良に関する。プリフォームは互いに対して或る距離だけ離れて対向する２つの側方壁の間に配置され、幾つかの放射源を支持する前記壁の１つはプリフォームの本体に面するように互いに対して１つ置きに上になるように配置される。
【背景技術】
【０００２】
実際、添付の図面中図１に概略的に例図示するように、プリフォーム１（一般に、この図に例示したような容器プリフォーム又は連続する多数のブローステージを有するプロセスにおける中間容器）は移動中に加熱される。自身の回りで回転される一方（矢印９）、通常は自身の首部１１をダクト形状のオーブン２内で下向きに面した状態で配置され、これらの壁の１つの側方壁３には連続する放射源５の組４が設けられている。これらの側方壁３の１つには連続した放射源５の組４が設けられている（一般的に、連続する重なった管状ランプは短赤外線を放ち、これは熱可塑性プラスチックに吸収され且つコアまで加熱される）。対向する側方壁６には反射手段７を設けると好都合とし得る。オーブンの底にはプリフォーム１の首部１１を保護することができる熱シールドを構成するように構成された保護手段１０が設けられて底が変形しないように阻止する。放射源５の各組４はオーブンで処理し得る最大のプリフォーム１の本体８の長さに関して多数の放射源を備える。小さなプリフォームを加熱するために、プリフォーム１の本体８の長さに関して各組４の適切な数の放射源５のみが用いられる（図１に示す実施形態では、上部の２つの放射源５９及び５８は使用されない）。
【０００３】
各放射源５は、上部放射源５７、あるいは幾つかの上部放射源５７及び５６を使用することによって放たれた放射の少なくともかなりの部分Ｑ、及び、より下に位置する他の放射源５５から５１によって放たれた小さな部分ｑがプリフォーム１の閉じた端部より上を通り、且つ失われるように幅広い円錐形状に亘って放射線を放つ。
【０００４】
熱可塑性容器製造者は、現在、これらの容器を製造するために機械の作動と関連した固有の電荷、及び特にこれらの機械による電気エネルギーの消費を出来るだけ減じることを求めている。
【０００５】
現在、プリフォーム加熱オーブンは熱可塑性プラスチック容器を製造するための設備における電気エネルギーの大部分（７０％〜９０％）を消費する。
【０００６】
結局、オーブンの損失における、たとえ少量でも、何れかの減少は電気エネルギーの消費におけるかなりの付随的な減少によって反映され、及び、従って、経済的な節約とより良い機械の利益に反映される。
【発明の開示】
【発明が解決しようとする課題】
【０００７】
従って、本発明の目的は、使用者のこの期待に対処することであり、且つ、プリフォーム加熱オーブンにおける損失及びこれによる電気エネルギーの消費を大幅に減じるために適切な手段を供することである。
【課題を解決するための手段】
【０００８】
これらの目的のために、本発明の第１態様によれば、本発明は、熱可塑性プラスチック、特にＰＥＴ製のボトルのような容器を、ブロー成形又はストレッチブロー成形によって製造するために構成された少なくとも１つのプリフォームを加熱する方法を提供する。プリフォームは、互いに対して或る距離離れて面する２つの側方壁の間に配置される。これらの壁の１つは、プリフォームの本体に面するように、互いに対して１つ置きに上になるように配置された幾つかの放射源を支持する。本発明によるこの方法は、２つの側方壁の間の間隙は、プリフォームの閉じた端部を越え且つプリフォームの近くに少なくとも部分的に閉じられ、しかも、プリフォームの閉じた端部を越えて放たれた放射の少なくとも或るものはプリフォームの本体に向けて反射されることを特徴とする。
【０００９】
これらの配置構成のおかげで、失った放射損失は制限される。より詳細には、本発明による装置構成を使用することによって、オーブンによる電気エネルギーの消費を約１０％減少させる一方で、同時にプリフォームの加熱性能のレベルを約３％だけ向上させることができる。
【００１０】
しかしながら、加熱装置が熱的に暴走（急騰）を被るのを防止し、且つプリフォームが過熱されるのを防止するために、換気のための空間を残すことが望ましい。これを行うために、２つの側方壁間の間隙の３／４は閉じられる。
【００１１】
さらにまた、この配置構成では、部分的な閉鎖は頂部でなされ、対流損失の減少に帰着するから、プリフォームを首部を下向きに配置することが好ましいことが判明している。
【００１２】
実際、多数のプリフォームはダクト形状の細長いオーブンで作動するために加熱される。プリフォームは２つの壁の間の搬送手段によって、これらの壁に平行に移動される。移動されたプリフォームが予め定められた加熱プロファイルを受けるように、或る選択された部分のみを閉ざすために２つの壁の間に間隙を作り得る。この配置構成を、或る鉛直及び／又は長手方向ロケーションにおいて選択的に別々に加熱することのないような他の慣用の解決策と組み合わせると有利とすることができる。
【００１３】
本発明の第２態様によれば、本発明は上述の方法を実施するための、熱可塑性プラスチック特にＰＥＴ製のボトルのような容器を、ブロー成形又はストレッチブロー成形によって製造するために構成された少なくとも１つのプリフォームの加熱装置であって、前記加熱装置は互いに対して所定距離だけ離れて対向している２つの側方壁を備え、これら側方壁の間にプリフォームが配置され、前記側方壁の１つは１つ置きに上になるように配置された幾つかの放射源をプリフォームの本体に面するように支持している。本発明に従って位置づけられたこの装置は、横方向の壁がプリフォームの閉じた端部を越え且つ該プリフォームの近くに配置され、前記プレーとは２つの前記側方壁の間で少なくとも部分的に延在し、プリフォームの閉じた端部に面して位置するこの横方向プレートの面は前記放射源によって放たれた放射の少なくとも幾分かは、失われた放射による損失が制限されるようにプリフォームの本体に向けて反射される。
【００１４】
有利なことに、この場合は、対流損失は制限されるから、プリフォームの首部を下向きにして配置することによって装置は更に改善される。
【００１５】
加熱装置をより広範に利用することができるようにする、及び非常に広範囲の寸法のプリフォームを処理することを可能にするために、横方向プレートを取り外し可能に装着することが望ましい。この目的のための１つの有利な解決策は、各々の放射源を自身のそれぞれの支持部に固定するための固定手段と等価な固定手段によって位置づけられた横方向プレートに存する。その結果、前記横方向プレートはその支持部にある放射源の代わりに取り付け得る。
【００１６】
横方向プレートは、かくして、プリフォームの長さに拘わらず、プリフォームの閉じた端部の近くに位置付け得る。本願明細書の文脈では、放射源が全体的に管形状である場合、横方向プレートが細長形状から成り、且つ放射源と同じ長さを有することに存する。特に、特定の実施形態では、横方向プレートを放射源のためのコンタクトソケットと同じ形状の長手方向に突出する指部になし得るものであり、且つ放射源のコンタクトソケットを受容するための部材に係合するのに適したものであるように用意できる。
【００１７】
プリフォームが加熱されるのを防止するために、横方向プレートが２つの側方壁間の空間の焼く３／４に対応する幅を有することが望ましく、もって、換気のための十分な空間を残すようになっている。
【００１８】
本発明の配置構成は、細長いダクトの形態に成形された加熱装置に適用し得ると好都合であり、プリフォームを２つの壁間でこれらの壁に平行に移動させるための移送手段を含む。この場合、２つの壁間で移動されたプリフォームが予め定められた加熱プロファイルに晒されるように横方向プレートを選択された２つの壁間の或るロケーションに配置することも考え得る。
【００１９】
１つの特定実施形態では、横方向プレートの下面を、放射の波長を反射するセラミック層で被覆される。都合のいいことに、横方向のプレートをアルミニウムで作ることも可能である。
【００２０】
非限定的な実施例によって単に与えられる以下に詳細に説明する或る好ましい実施形態を読めば本発明はより明瞭に理解される。この実施形態では添付図面が参照される。
【発明を実施するための最良の形態】
【００２１】
図２は、オーブン内部にプリフォーム１、この場合は自身の首部を下げた状態でオーブン内に配置された図１にプリフォームに等価なプリフォーム１を具備するオーブン２を示す（図２を参照すると、図１と同じ参照符号は同じ構成要素を示すために保持される。）。本発明に従って配置されたオーブン２内では、プリフォーム１の閉じた端部１２を越え且つ該閉じた端部の近傍では、本願明細書では、閉じた端部をより上では、閉じた２つの側方壁３及び６の間の間隙が少なくとも部分的に閉じている。プリフォームの首部１１は底部に配置されており、プリフォームの閉じた端部を超えて発せられた放射の少なくとも一部はプリフォームの本体に向けて反射され、これにより、放射による損失を制限する。さらにまた、図示した配置構成によれば、プリフォームは首部１１を下向きにして且つ閉じた端部１２を上向きにして配置され、対流損失が制限されている。有利なことに、２つの側方壁３、６間の間隙の約３／４は閉じており、もって、換気のための通路を残し、オーブンが過熱することを防止している。
【００２２】
この目的のために、本発明によれば、２つの上述した側方壁３、６間に少なくとも部分的に延在する、少なくとも１つの横方向プレート１３が、プリフォーム１の閉じた端部１２を越え且つ閉じた端部の近傍に配置されている。プリフォーム１の閉じた端部１２に面して位置する、この横方向のプレートの面１４（本願明細書では、プリフォームの配置構成の下面には自身の首部１１が下向きの状態である）は前記放射源によって放たれた放射を反射する。
【００２３】
実際、オーブンの側方壁の１つ３上には、後述する手段を使用して、横方向プレート１３が着脱自在に装着されている。このようにして、同じプレート３は、望ましい効果が最適な条件下で得られるように、同一のプレート１３がプリフォームからあまり遠くに位置づけられないよう態様で、オーブン内部の適切な位置に選択的に装着し得る。
【００２４】
図２に示すように、ソース５１〜５６は作動している。図１の慣用の配置構成で損失されるであろう、大部分の放射は、本願明細書では、側方壁６の反射手段７から離れた中間反射によって直接的に又は間接的に、プレート１３によって遮断され、且つプリフォーム１に向けて反射される。放射線２３（図２の薄墨色で示されている）の狭い鉛筆形部のみは遮断されない。
【００２５】
図３において、図２の長さより実質的に短い長さのプリフォーム１が同じオーブン２に配置される。再び、本発明の配置構成の最適な作動のために、プレート１３はオーブン内により下降して装着され、放射源５１〜５５のみが、この時、作動している。
【００２６】
図４から分かるように、プレート１３は全体的に矩形形状を有し、且つ図２及び図３に示し得るように、間隙が傾斜しており、間隙の約３／４に亘って、オーブンの２つの側方壁３、６間で長手方向に直角に延在する。傾斜角度は、反射面１４が放射をプリフォーム１又は壁６に向けて反射するように選択される。角度は１０°〜３０°の間で選択し得る。
【００２７】
プレート１３を処理されるべきプリフォームの長さに関して要求される高さに装着するのをより容易にするために、構造的により簡易な解決策は、各放射源５を自身のそれぞれの支持部に固定する手段に等価な固定手段１５によって横方向プレート１３を位置決めすることに存し、その結果、前記横方向プレートは自身の支持部における放射源の代わりに取り付け得る。
【００２８】
実際、放射は、全体が管形状をした細長いランプである。横方向プレート１３は、この場合、図４から分かるように、細長い矩形形状をしており、且つ放射源と同じ長さを有する。
【００２９】
図５Ａは、放射源５の一端部を装着する、出願人の装置の、標準的な方法を示す。放射源５の端部には、通常、正方形断面を有する、コンタクトポケット１６が設けられており、このポケットは、オーブン２の構造体の一部を構成する横方向の支持パーティション１８に設けられた相補的な形状の開口１７に係合する。パーティション１８及び開口１７はソケット用支持部材を構成する。駆動源リード線１９がソケット１６に（特にはんだ付けで）取り付けられている。放射源５の背後には、構造体の残りの部分を保護する断熱壁２０が設置されている。前記壁２０は横方向パーティション１８の溝２１に保持される。
【００３０】
図５Ｂに示すようなこれらの状況下では、横方向のプレート１３を固定する手段１５は放射源のコンタクトポケット１６と同じ形状の長手方向に突出する指部２２である。換言すれば、考慮している実施例の正方形形状をしており、且つ放射源のコンタクトソケットを収容するための開口１７に係合するのに適したものである。
【００３１】
出願人によって広く販売されているような、連続的に且つ高効率で容器を製造するための設備では、オーブン２は全体的に細長ダクトの形態をしており、これらのプリフォームに平行な２つの壁３、６の間で該プリフォーム１を次々に移動させる一方で、プリフォーム１をこれらの回りに（矢印９）回転させるための搬送手段を含む。こうしたオーブン形状構成では、ブロー成形の間のこの時に課された変形に合致された過熱プロファイルを得るためにプリフォーム加熱を変えることは標準的な実務である。１つの変形は、しばしば、或る放射源又は或る組の放射源を作動しない状態のままに残すか、あるいは放射源の個々の電力を制御することにある。
【００３２】
本願明細書の文脈では、壁の間で移動されたプリフォームが予め定められた加熱プロファイルを受けるように、横方向プレート１３を、２つの壁の間の或る選択されたロケーションに配置されるように設けることによってこうした加熱変更形態を実施することを予想し得る。換言すれば、プレート１３を他のロケーションではなく或るロケーションに配置する用意をなし得る。
【００３３】
有利には、横方向プレート１３の下面１４に対して、実際には短赤外線放射である、放射の波長を反射するセラミック層で被覆する用意をなし得る。
【００３４】
横方向プレート１３は、簡易化及びコスト低減のために、アルミニウムで作られる。
【図面の簡単な説明】
【００３５】
【図１】従来技術の加熱装置を極めて概略的に示して、その欠点を説明する図である。
【図２】本発明により位置づけられた加熱装置の、図１の加熱装置に類似して示した、その利点を説明する図である。
【図３】より短いプリフォームに関して異なるように形状構成された、図２のオーブンを説明する図である。
【図４】図２及び図３の加熱装置を装備するための、本発明による横方向プレートの好ましい実施形態の平面図である。
【図５Ａ】加熱装置の加熱ランプの一端部を固定する方法を拡大して例示する部分図である。
【図５Ｂ】図４の横方向プレートの好ましい実施形態において、図５Ａに示すものからコピーされた取付方法を拡大して例示する部分図である。
【符号の説明】
【００３６】
１  プリフォーム
２  オーブン
３、６  側方壁
４  組
５  放射源
７  反射手段
８  本体
１０  保護手段
１１  首部
１２  閉じた端部
１３  横方向プレート
１４  下面
１５  固定手段
１６  コンタクトポケット
１７  開口
１８  横方向パーティション
１９  駆動源リード線
２０  断熱壁
２１  溝
２２  指部
２３  放射線
【図１】
2008516815.tif 000003
【図２】
2008516815.tif 000004
【図３】
2008516815.tif 000005
【図４】
2008516815.tif 000006
【図５Ａ】
2008516815.tif 000007
【図５Ｂ】
2008516815.tif 000008
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
熱可塑性プラスチック特にＰＥＴ製のボトルのような容器を、ブロー成形又はストレッチブロー成形によって製造するための少なくとも１つのプリフォーム（１）の加熱装置であって、
前記加熱装置は互いに対して所定距離だけ離れて対向し、これらの間にプリフォーム（１）が配置される２つの側壁（３、６）であって、該側壁の１つ（３）は、互いに対して１つ置きに上になるように配置された幾つかの放射源（５）を、前記プリフォームの本体（８）に面するように支持している側壁と、
前記プリフォームの閉じた端部（１２）を越え、且つ前記プリフォームの近くに、且つ前記２つの側壁（３、６）間で少なくとも部分的に延在して配置された少なくとも１つの横方向プレート（１３）であって、該横方向プレート（１３）の下面（１４）は、前記プリフォーム（１）の前記閉じた端部（１２）に面し、前記放射源（５）によって放たれた放射を反射すると共に傾斜された、横方向プレート（１３）と、
を備えている加熱装置において、
前記プレート（１３）は前記放射源（５）を支持する前記側壁のうちの前記壁（３）によって支持され、
前記プレート（１３）の前記下面（１４）は、前記放射が前記プリフォーム（１）に向けて且つ前記放射源（５）を支持する前記側壁（３）とは反対の前記側壁（６）に向けて反射されるように傾斜されており、及び
前記横方向プレート（１３）が、各放射源（５）をそれぞれの支持部材（１７、１８）に固定するための固定手段と同一の固定手段（１５）で位置決めされ、これにより、該横方向プレートが、放射源の代わりに支持部内に適合し得ることを特徴とする加熱装置。
【請求項２】
前記プレート（１３）の下部面（１４）の傾斜角が１０°〜３０°の間にあることを特徴とする、請求項１に記載の加熱装置。
【請求項３】
前記プリフォームは、対流による損失が制限されるように、自身の首部（１１）を下げ且つ自身の閉じた端部（１２）を上げた状態で配置されることを特徴とする、請求項１または請求項２に記載の加熱装置。
【請求項４】
前記横プレート（１３）は着脱自在に取り付けられることを特徴とする、請求項１から請求項３までのいずれか１項に記載の加熱装置。
【請求項５】
前記放射源（５）は略管形状をしており、しかも前記横プレート（１３）は細長形状をしており、且つ前記放射源（５）と同じ長さを有する、請求項１から請求項４までのいずれか１項に記載の加熱装置。
【請求項６】
前記横方向プレート（１３）を固定する前記手段（１５）は、前記放射源（５）用の前記コンタクトソケットと同一の構造をした長手方向に突出する指部（２２）であり、且つ前記放射源の前記コンタクトソケットを支持するための部材（１７、１８）に係合するのに適したものであることを特徴とする、請求項１から請求項５までのいずれか１項に記載の加熱装置。
【請求項７】
前記横プレート（１３）は、前記２つの側壁（３、６）間の約３／４に対応する幅を有することを特徴とする、請求項１から請求項６までのいずれか１項に記載の加熱装置。
【請求項８】
前記加熱装置が細長くなされ、且つ前記プリフォームを、前記２つの壁間でこれらの壁に平行に移動させるための手段を含むものにおいて、
２つの壁間で移動した前記プリフォーム（１）が予め定められた加熱プロファイルを受けるように、横方向プレート（１３）が、前記２つの壁間の所定の選択された位置に配置されることを特徴とする、請求項１から請求項７までのいずれか１項に記載の加熱装置
【請求項９】
前記プリフォーム（１）の閉じた端部（１２）に面する前記横方向プレート（１３）の面（１４）が、前記放射の波長を反射する、セラミック層で被覆されていることを特徴とする、請求項１から請求項８までのいずれか１項に記載の加熱装置。
【請求項１０】
前記横プレート（１３）はアルミニウム製であることを特徴とする、請求項１から請求項９までのいずれか１項に記載の加熱装置。
【国際調査報告】
2008516815.tif 000009
2008516815.tif 000010
2008516815.tif 000011
2008516815.tif 000012
2008516815.tif 000013